(57)【要約】【課題】  広告の効果を従来より向上することができる広告コピー用画像形成装置を提供する。【解決手段】  ＭＦＰの制御部は、広告コピーが指示された場合、広告可媒体収納部から搬送した広告可媒体を使用するコピーであるオンデマンド広告コピー処理（Ｓ１８８）と、広告済媒体収納部から搬送した広告済媒体を使用するコピーであるオフセット広告コピー処理（Ｓ１８７）との何れか一方を実行し、オンデマンド広告コピー処理を実行するときに、記憶部に記憶されている広告を広告可媒体に印刷し、制御部は、広告コピーが指示された場合、指示されたコピーが複数の記録媒体に印刷するための所定の条件を満たすときに（Ｓ１８５でＹＥＳおよびＳ１８６でＹＥＳ）、オフセット広告コピー処理を実行する（Ｓ１８７）ことを特徴とする。【選択図】  図１３
2013109032.tif 000002
【特許請求の範囲】
【請求項１】
記録媒体に印刷を実行する印刷デバイスと、原稿から画像を読み取る読取デバイスと、予め広告が印刷されている前記記録媒体である広告済媒体を収納する広告済媒体収納部と、広告が印刷可能な前記記録媒体である広告可媒体を収納する広告可媒体収納部と、広告を記憶する広告記憶部と、前記読取デバイスによって原稿から読み取られた画像を前記印刷デバイスによって前記記録媒体に印刷する機能であるコピーを制御するコピー制御部とを備えており、
前記コピー制御部は、広告を伴う前記コピーが指示された場合、前記広告可媒体収納部から搬送した前記広告可媒体を使用する前記コピーである広告可媒体コピーと、前記広告済媒体収納部から搬送した前記広告済媒体を使用する前記コピーである広告済媒体コピーとの何れか一方を実行し、前記広告可媒体コピーを実行するときに、前記広告記憶部に記憶されている広告を前記広告可媒体に印刷し、
前記コピー制御部は、広告を伴う前記コピーが指示された場合、指示された前記コピーが複数の前記記録媒体に印刷するための所定の条件を満たすときに、前記広告済媒体コピーを実行することを特徴とする広告コピー用画像形成装置。
【請求項２】
前記広告済媒体は、予め裏面に広告が印刷されている前記記録媒体であり、
前記広告可媒体は、両面に印刷が可能な前記記録媒体であり、
前記コピーは、前記読取デバイスによって原稿から読み取られた画像を前記印刷デバイスによって前記記録媒体の表面に印刷する機能であり、
前記コピー制御部は、前記広告可媒体コピーを実行するときに、前記広告記憶部に記憶されている広告を前記広告可媒体の裏面に印刷することを特徴とする請求項１に記載の広告コピー用画像形成装置。
【請求項３】
前記所定の条件は、前記読取デバイスが自動原稿送り装置を備えていて、前記自動原稿送り装置に原稿がセットされているという条件を含んでいることを特徴とする請求項１または請求項２に記載の広告コピー用画像形成装置。
【請求項４】
前記所定の条件は、現在のモードが原稿を複数回手動で前記読取デバイスに読み取らせるモードであるという条件を含んでいることを特徴とする請求項１から請求項３までの何れかに記載の広告コピー用画像形成装置。
【発明の詳細な説明】
【技術分野】
【０００１】
本発明は、広告を伴うコピーを実行することができる広告コピー用画像形成装置に関する。
【背景技術】
【０００２】
従来、広告を伴うコピーを実行することができる広告コピー用画像形成装置として、プリント媒体に印刷を実行する印刷装置部と、ユーザ原稿からユーザ原稿データを読み取るスキャナーと、広告が印刷可能なプリント媒体を収納する収納部と、広告を記憶するメモリーと、スキャナーによってユーザ原稿から読み取られたユーザ原稿データを印刷装置部によってプリント媒体に印刷する機能であるコピーを制御する制御部とを備えているユーザ機器が知られている（特許文献１参照。）。このユーザ機器の制御部は、広告を伴うコピーが指示された場合、収納部から搬送したプリント媒体を使用するコピーを実行し、このコピーを実行するときに、メモリーに記憶されている広告を、プリント媒体のうちユーザ原稿データを印刷する面と同一の面に印刷する。
【先行技術文献】
【特許文献】
【０００３】
【特許文献１】特開２００４−６９７２０号公報
【発明の概要】
【発明が解決しようとする課題】
【０００４】
しかしながら、特許文献１に記載された広告コピー用画像形成装置においては、複数のプリント媒体に印刷するコピーの場合に全てのプリント媒体に同一の広告が印刷されるので、広告の効果が低いという問題がある。
【０００５】
そこで、本発明は、広告の効果を従来より向上することができる広告コピー用画像形成装置を提供することを目的とする。
【課題を解決するための手段】
【０００６】
本発明の画像形成装置は、記録媒体に印刷を実行する印刷デバイスと、原稿から画像を読み取る読取デバイスと、予め広告が印刷されている前記記録媒体である広告済媒体を収納する広告済媒体収納部と、広告が印刷可能な前記記録媒体である広告可媒体を収納する広告可媒体収納部と、広告を記憶する広告記憶部と、前記読取デバイスによって原稿から読み取られた画像を前記印刷デバイスによって前記記録媒体に印刷する機能であるコピーを制御するコピー制御部とを備えており、前記コピー制御部は、広告を伴う前記コピーが指示された場合、前記広告可媒体収納部から搬送した前記広告可媒体を使用する前記コピーである広告可媒体コピーと、前記広告済媒体収納部から搬送した前記広告済媒体を使用する前記コピーである広告済媒体コピーとの何れか一方を実行し、前記広告可媒体コピーを実行するときに、前記広告記憶部に記憶されている広告を前記広告可媒体に印刷し、前記コピー制御部は、広告を伴う前記コピーが指示された場合、指示された前記コピーが複数の前記記録媒体に印刷するための所定の条件を満たすときに、前記広告済媒体コピーを実行することを特徴とする。
【０００７】
この構成により、本発明の広告コピー用画像形成装置は、互いに異なる広告が印刷された複数種類の広告済媒体がランダムに広告済媒体収納部に収納されておかれることによって、広告を伴うコピーが指示された場合、指示されたコピーが複数の記録媒体に印刷するための所定の条件を満たすときに、複数種類の広告済媒体を使用するコピーを実行するので、広告の効果を従来より向上することができる。
【０００８】
また、本発明の広告コピー用画像形成装置の前記広告済媒体は、予め裏面に広告が印刷されている前記記録媒体であり、前記広告可媒体は、両面に印刷が可能な前記記録媒体であり、前記コピーは、前記読取デバイスによって原稿から読み取られた画像を前記印刷デバイスによって前記記録媒体の表面に印刷する機能であり、前記コピー制御部は、前記広告可媒体コピーを実行するときに、前記広告記憶部に記憶されている広告を前記広告可媒体の裏面に印刷しても良い。
【０００９】
この構成により、本発明の広告コピー用画像形成装置は、広告を伴うコピーが実行された記録媒体において、コピーが実行された面とは異なる面に広告が印刷されているので、広告を大きく表示して広告の効果を向上することができる。
【００１０】
また、本発明の広告コピー用画像形成装置の前記所定の条件は、前記読取デバイスが自動原稿送り装置を備えていて、前記自動原稿送り装置に原稿がセットされているという条件を含んでいても良い。
【００１１】
この構成により、本発明の広告コピー用画像形成装置は、自動原稿送り装置に原稿がセットされるだけで、複数種類の広告済媒体を使用するコピーを実行することができる。
【００１２】
また、本発明の広告コピー用画像形成装置の前記所定の条件は、現在のモードが原稿を複数回手動で前記読取デバイスに読み取らせるモードであるという条件を含んでいても良い。
【００１３】
この構成により、本発明の広告コピー用画像形成装置は、現在のモードが原稿を複数回手動で読取デバイスに読み取らせるモードに設定されているだけで、複数種類の広告済媒体を使用するコピーを実行することができる。
【発明の効果】
【００１４】
本発明の広告コピー用画像形成装置は、広告の効果を従来より向上することができる。
【図面の簡単な説明】
【００１５】
【図１】本発明の第１の実施の形態に係るネットワークシステムのブロック図である。
【図２】図１に示すＭＦＰのブロック図である。
【図３】図１に示すＭＦＰの構成図である。
【図４】図２に示すＢＯＸの内容を示す図である。
【図５】図２に示すＢＯＸ状態情報の内容の一例を示す図である。
【図６】図１に示すＳＴＢのブロック図である。
【図７】図６に示す広告データフォルダーの内容の一例を示す図である。
【図８】広告を更新する場合の図１に示すＳＴＢの動作のフローチャートである。
【図９】図１に示すＭＦＰ上の広告が更新される場合のシーケンス図である。
【図１０】図９の続きのシーケンス図である。
【図１１】図１０の続きのシーケンス図である。
【図１２】図２に示す表示部に表示されるコピー選択画面を示す図である。
【図１３】広告コピーを実行する場合の図２に示す制御部の動作のフローチャートである。
【図１４】図２に示す表示部に表示される広告コピー認証画面を示す図である。
【図１５】図１３に示すオフセット広告コピー処理のフローチャートである。
【図１６】図２に示す表示部に表示される広告コピー指示画面を示す図である。
【図１７】図１３に示すオンデマンド広告コピー処理のフローチャートである。
【図１８】図１７の続きのフローチャートである。
【図１９】広告コピーを実行する場合の本発明の第２の実施の形態に係るネットワークシステムのＭＦＰの制御部の動作のフローチャートである。
【図２０】本発明の第２の実施の形態に係るＭＦＰの表示部に表示される連続読み取りモード設定画面を示す図である。
【図２１】本発明の第２の実施の形態に係るＭＦＰの表示部に表示される連続読み取りモード画面を示す図である。
【発明を実施するための形態】
【００１６】
以下、本発明の実施の形態について、図面を用いて説明する。
【００１７】
（第１の実施の形態）
まず、本発明の第１の実施の形態に係るネットワークシステムの構成について説明する。
【００１８】
図１は、本実施の形態に係るネットワークシステム１０のブロック図である。
【００１９】
図１に示すように、ネットワークシステム１０は、広告コピー用画像形成装置であるＭＦＰ（Ｍｕｌｔｉｆｕｎｃｔｉｏｎ  Ｐｅｒｉｐｈｅｒａｌ）２０と、ＬＡＮ（Ｌｏｃａｌ  Ａｒｅａ  Ｎｅｔｗｏｒｋ）１１を介してＭＦＰ２０と互いに通信可能であるＳＴＢ（Ｓｅｔ  Ｔｏｐ  Ｂｏｘ）６０と、インターネット１２を介してＳＴＢ６０と互いに通信可能であるサーバー９０とを備えている。
【００２０】
図２は、ＭＦＰ２０のブロック図である。
【００２１】
図２に示すように、ＭＦＰ２０は、利用者による種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体に印刷を実行する印刷デバイスであるプリンター２３と、原稿から画像を読み取る読取デバイスであるスキャナー２４と、公衆電話回線などの通信回線経由でファックス通信を行うファックスデバイスであるファックス通信部２５と、ＬＡＮ１１、インターネットなどのネットワーク経由で通信を行うネットワーク通信デバイスであるネットワーク通信部２６とを備えている。
【００２２】
図３は、ＭＦＰ２０の構成図である。
【００２３】
図３に示すように、ＭＦＰ２０は、予め裏面に広告が印刷されている記録媒体である広告済媒体としてＡ３サイズの広告済媒体（以下「Ａ３広告済媒体」という。）３１ａを収納する広告済媒体収納部としてのＡ３広告済媒体収納部３１と、Ａ４サイズの広告済媒体（以下「Ａ４広告済媒体」という。）３２ａを収納する広告済媒体収納部としてのＡ４広告済媒体収納部３２と、広告が印刷可能な記録媒体である広告可媒体としてＡ３サイズの広告可媒体（以下「Ａ３広告可媒体」という。）３３ａを収納する広告可媒体収納部としてのＡ３広告可媒体収納部３３と、Ａ４サイズの広告可媒体（以下「Ａ４広告可媒体」という。）３４ａを収納する広告可媒体収納部としてのＡ４広告可媒体収納部３４とを備えている。Ａ３広告可媒体３３ａおよびＡ４広告可媒体３４ａは、両面全体に未だ一切の印刷が実行されていない白紙など、両面に印刷が可能な記録媒体である。
【００２４】
スキャナー２４は、複数枚の原稿を自動的に順に読取部に搬送することができる装置である自動原稿送り装置２４ａを着脱可能である。
【００２５】
図２に示すように、ＭＦＰ２０は、プログラムなどの各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部４０と、ＭＦＰ２０全体を制御する制御部５０とを備えている。
【００２６】
記憶部４０は、利用者の認証を実行するＪａｖａ（登録商標）アプリケーションプログラムである拡張認証アプリケーションプログラム４１を記憶している。
【００２７】
拡張認証アプリケーションプログラム４１は、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリー、ＳＤメモリーカードなどの記憶媒体からＭＦＰ２０に追加でインストールされても良いし、ＬＡＮ１１、インターネットなどのネットワーク上からＭＦＰ２０に追加でインストールされても良い。
【００２８】
記憶部４０は、利用者の認証に使用される認証情報４２を記憶している。認証情報４２は、利用者のＩＤである利用者ＩＤと、利用者のパスワードとの組み合わせを１つ以上含んでいる。
【００２９】
記憶部４０は、広告を記憶する領域であるＢＯＸ４３およびＢＯＸ４４を記憶することが可能であり、本発明の広告記憶部を構成している。ＢＯＸは、広告の種類毎に作成される。ＢＯＸには、ＩＤが対応付けられている。以下において、ＢＯＸ４３のＩＤを“１”とし、ＢＯＸ４４のＩＤを“２”とする。なお、本実施の形態においては、本発明の理解を容易にするために、ＢＯＸの数が２つの場合について説明するが、ＢＯＸの数は３つ以上であっても良い。
【００３０】
図４は、ＢＯＸ４３の内容を示す図である。
【００３１】
図４に示すように、ＢＯＸ４３には、Ａ３サイズのカラーコピー用の広告のデータであるＡ３カラー広告データ４３ａと、Ａ３サイズのモノクロコピー用の広告のデータであるＡ３モノクロ広告データ４３ｂと、Ａ４サイズのカラーコピー用の広告のデータであるＡ４カラー広告データ４３ｃと、Ａ４サイズのモノクロコピー用の広告のデータであるＡ４モノクロ広告データ４３ｄとを記憶することができる。Ａ３カラー広告データ４３ａ、Ａ３モノクロ広告データ４３ｂ、Ａ４カラー広告データ４３ｃおよびＡ４モノクロ広告データ４３ｄは、サイズおよび色が異なるが、同一種類の広告である。
【００３２】
以上においてはＢＯＸ４３について説明しているが、ＢＯＸ４４についても同様である。
【００３３】
図２に示すように、記憶部４０は、利用可能なＢＯＸをそのＢＯＸのＩＤによって示す情報である利用可能ＢＯＸ情報４５を記憶することが可能である。
【００３４】
記憶部４０は、ＢＯＸの状態を示すＢＯＸ状態情報４６を記憶することが可能である。
【００３５】
図５は、ＢＯＸ状態情報４６の内容の一例を示す図である。
【００３６】
図５に示すように、ＢＯＸ状態情報４６は、ＢＯＸのＩＤと、ＢＯＸの状態とが対応付けられた情報である。ＢＯＸの状態としては、後述のオンデマンド広告コピー処理においてＢＯＸ内のデータを使用することができる状態であることを表す“使用可能”と、ＢＯＸからデータを読み出している状態であることを表す“読み出し中”と、ＢＯＸにデータを書き込んでいる状態であることを表す“書き込み中”とがある。
【００３７】
図２に示すように、制御部５０は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部４０に記憶されているプログラムを実行するようになっている。
【００３８】
制御部５０は、スキャナー２４によって原稿から読み取られた画像をプリンター２３によって記録媒体の表面に印刷する機能であるコピーを制御するようになっており、本発明のコピー制御部を構成している。
【００３９】
制御部５０は、記憶部４０に記憶されている拡張認証アプリケーションプログラム４１を実行することによって、拡張認証アプリ５１として機能する。
【００４０】
ＭＦＰ２０は、広告を受ける対象とされている者（以下「広告対象者」という。）によって使用されることが可能である例えば大学などの場所に設置されている。
【００４１】
図６は、ＳＴＢ６０のブロック図である。
【００４２】
図６に示すように、ＳＴＢ６０は、利用者による種々の操作が入力されるキーボード、マウスなどの入力デバイスである操作部６１と、種々の情報を表示するＬＣＤなどの表示デバイスである表示部６２と、ＬＡＮ１１、インターネット１２などのネットワーク経由で通信を行うネットワーク通信デバイスであるネットワーク通信部６３と、プログラムなどの各種のデータを記憶しているＨＤＤなどの記憶デバイスである記憶部７０と、ＳＴＢ６０全体を制御する制御部８０とを備えている。ＳＴＢ６０は、例えばＰＣ（Ｐｅｒｓｏｎａｌ  Ｃｏｍｐｕｔｅｒ）によって構成されている。
【００４３】
記憶部７０は、Ａ３カラー広告データ、Ａ３モノクロ広告データ、Ａ４カラー広告データおよびＡ４モノクロ広告データをＢＯＸのＩＤと対応付けて格納する広告データフォルダー７１を記憶することができる。
【００４４】
図７は、広告データフォルダー７１の内容の一例を示す図である。
【００４５】
図７に示すように、広告データフォルダー７１には、Ａ３カラー広告データ、Ａ３モノクロ広告データ、Ａ４カラー広告データおよびＡ４モノクロ広告データがＢＯＸのＩＤと対応付けられて格納されている。
【００４６】
図６に示す制御部８０は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部７０に記憶されているプログラムを実行するようになっている。
【００４７】
図１に示すサーバー９０は、例えばＰＣによって構成されている。サーバー９０は、広告を配信する者（以下「広告配信者」という。）によって操作されることが可能である例えば広告会社などの場所に設置されている。
【００４８】
次に、ネットワークシステム１０の動作について説明する。
【００４９】
＜ＳＴＢ６０上の広告の更新＞
サーバー９０は、ＳＴＢ６０上の広告の更新が広告配信者によって指示されると、広告配信者によって広告の更新が指示されたＢＯＸのＩＤと、新たな広告のデータとをインターネット１２を介してＳＴＢ６０に送信する。
【００５０】
ＳＴＢ６０の制御部８０は、広告配信者によって広告の更新が指示されたＢＯＸのＩＤと、新たな広告のデータとがインターネット１２を介してサーバー９０から送信されてくると、図８に示す動作を実行する。
【００５１】
図８は、広告を更新する場合のＳＴＢ６０の動作のフローチャートである。
【００５２】
図８に示すように、制御部８０は、サーバー９０から送信されてきたＢＯＸのＩＤおよび広告のデータを受信する（Ｓ１０１）。
【００５３】
次いで、制御部８０は、Ｓ１０１において受信した広告のデータに基づいて、ＭＦＰ２０で印刷が可能なデータであるＡ３カラー広告データ、Ａ３モノクロ広告データ、Ａ４カラー広告データおよびＡ４モノクロ広告データを生成する（Ｓ１０２）。
【００５４】
次いで、制御部８０は、Ｓ１０２において生成したＡ３カラー広告データ、Ａ３モノクロ広告データ、Ａ４カラー広告データおよびＡ４モノクロ広告データを、Ｓ１０１において受信したＢＯＸのＩＤに対応付けて広告データフォルダー７１に記憶する（Ｓ１０３）。ここで、制御部８０は、Ｓ１０１において受信したＢＯＸのＩＤに対応付けられたＡ３カラー広告データ、Ａ３モノクロ広告データ、Ａ４カラー広告データおよびＡ４モノクロ広告データが既に広告データフォルダー７１に存在する場合、そのＢＯＸのＩＤに対応付けられたＡ３カラー広告データ、Ａ３モノクロ広告データ、Ａ４カラー広告データおよびＡ４モノクロ広告データを上書きする。
【００５５】
制御部８０は、Ｓ１０３の処理の後、図８に示す動作を終了する。
【００５６】
＜ＭＦＰ２０上の広告の更新＞
図９は、ＭＦＰ２０上の広告が更新される場合のシーケンス図である。
【００５７】
図９に示すように、ＭＦＰ２０が起動されてＭＦＰ２０の制御部５０が起動されると（Ｓ１２１）、制御部５０の拡張認証アプリ５１は、ＳＴＢ６０にＭＦＰ２０の起動を通知する（Ｓ１２２）。
【００５８】
ＳＴＢ６０は、ＭＦＰ２０の起動が拡張認証アプリ５１から通知されると、ＭＦＰ２０の起動を検知する（Ｓ１２３）。
【００５９】
ＳＴＢ６０は、ＭＦＰ２０の起動を検知すると、記憶部７０に記憶されている広告データフォルダー７１内のＢＯＸのＩＤが“１”に対応付けられたＡ３カラー広告データを、ＩＤが“１”であるＢＯＸ４３にＡ３カラー広告データ４３ａとして書き込む（Ｓ１２４）。ここで、ＳＴＢ６０は、ＩＤが“１”であるＢＯＸがＭＦＰ２０の記憶部４０に存在しない場合、ＩＤが“１”であるＢＯＸをＭＦＰ２０の記憶部４０に作成する。なお、図９において、Ｂｏｘ１とは、ＩＤが“１”であるＢＯＸを意味している。
【００６０】
ＭＦＰ２０の制御部５０は、ＢＯＸ４３へのＡ３カラー広告データ４３ａの書き込みが終了すると、ＢＯＸ４３へのＡ３カラー広告データ４３ａの書き込みが終了したことを拡張認証アプリ５１に通知する（Ｓ１２５）。
【００６１】
ＳＴＢ６０は、Ｓ１２４の処理の後、記憶部７０に記憶されている広告データフォルダー７１内のＢＯＸのＩＤが“１”に対応付けられたＡ３モノクロ広告データを、ＩＤが“１”であるＢＯＸ４３にＡ３モノクロ広告データ４３ｂとして書き込む（Ｓ１２６）。
【００６２】
ＭＦＰ２０の制御部５０は、ＢＯＸ４３へのＡ３モノクロ広告データ４３ｂの書き込みが終了すると、ＢＯＸ４３へのＡ３モノクロ広告データ４３ｂの書き込みが終了したことを拡張認証アプリ５１に通知する（Ｓ１２７）。
【００６３】
ＳＴＢ６０は、Ｓ１２６の処理の後、記憶部７０に記憶されている広告データフォルダー７１内のＢＯＸのＩＤが“１”に対応付けられたＡ４カラー広告データを、ＩＤが“１”であるＢＯＸ４３にＡ４カラー広告データ４３ｃとして書き込む（Ｓ１２８）。
【００６４】
ＭＦＰ２０の制御部５０は、ＢＯＸ４３へのＡ４カラー広告データ４３ｃの書き込みが終了すると、ＢＯＸ４３へのＡ４カラー広告データ４３ｃの書き込みが終了したことを拡張認証アプリ５１に通知する（Ｓ１２９）。
【００６５】
ＳＴＢ６０は、Ｓ１２８の処理の後、記憶部７０に記憶されている広告データフォルダー７１内のＢＯＸのＩＤが“１”に対応付けられたＡ４モノクロ広告データを、ＩＤが“１”であるＢＯＸ４３にＡ４モノクロ広告データ４３ｄとして書き込む（Ｓ１３０）。
【００６６】
ＭＦＰ２０の制御部５０は、ＢＯＸ４３へのＡ４モノクロ広告データ４３ｄの書き込みが終了すると、ＢＯＸ４３へのＡ４モノクロ広告データ４３ｄの書き込みが終了したことを拡張認証アプリ５１に通知する（Ｓ１３１）。
【００６７】
拡張認証アプリ５１は、ＩＤが“１”であるＢＯＸ４３へのＡ３カラー広告データ４３ａ、Ａ３モノクロ広告データ４３ｂ、Ａ４カラー広告データ４３ｃおよびＡ４モノクロ広告データ４３ｄの書き込みが終了したことが制御部５０から通知されると、記憶部４０に記憶されているＢＯＸ状態情報４６において、ＩＤが“１”であるＢＯＸ４３の状態を“使用可能”と設定する（Ｓ１３２）。
【００６８】
Ｓ１２４からＳ１３２までの処理は、ＳＴＢ６０の記憶部７０に記憶されている広告データフォルダー７１内の全てのＢＯＸのＩＤに対して繰り返される。
【００６９】
図１０は、図９の続きのシーケンス図である。
【００７０】
図１０に示すように、制御部５０は、後述のオンデマンド広告コピー処理（Ｓ１８８）を開始すると、オンデマンド広告コピー処理を開始したことを拡張認証アプリ５１に通知する（Ｓ１４１）。
【００７１】
拡張認証アプリ５１は、オンデマンド広告コピー処理を開始したことが制御部５０から通知された後、オンデマンド広告コピー処理における後述のＳ２２４において特定していた利用可能なＢＯＸの状態が“使用可能”であると後述のＳ２２５において判断すると、記憶部４０に記憶されているＢＯＸ状態情報４６において、その利用可能なＢＯＸの状態を“読み出し中”と設定する（Ｓ１４２）。なお、利用可能なＢＯＸは、図１０においてはＩＤが“１”であるＢＯＸが例示されているが、実際にはオンデマンド広告コピー処理における後述のＳ２２４において特定されたＢＯＸである。
【００７２】
次いで、拡張認証アプリ５１は、記憶部４０に記憶されている利用可能ＢＯＸ情報４５を、現在の利用可能なＢＯＸのＩＤに対して順番が次であるＢＯＸのＩＤに設定する（Ｓ１４３）。この順番は、一番大きい数値の次が一番小さい数値であることを除いて、昇順である。なお、図１０においては、ＩＤが“２”であるＢＯＸが例示されている。
【００７３】
制御部５０は、後述のオンデマンド広告コピー処理（Ｓ１８８）を終了すると、オンデマンド広告コピー処理における後述のＳ２２４において特定していた利用可能なＢＯＸのＩＤとともに、オンデマンド広告コピー処理を終了したことを拡張認証アプリ５１に通知する（Ｓ１４４）。
【００７４】
拡張認証アプリ５１は、オンデマンド広告コピー処理を終了したことが制御部５０から通知されると、記憶部４０に記憶されているＢＯＸ状態情報４６において、Ｓ１４４において制御部５０から通知されたＩＤに対応付けられているＢＯＸの状態を“書き込み中”と設定する（Ｓ１４５）。
【００７５】
次いで、拡張認証アプリ５１は、Ｓ１４４において制御部５０から通知されたＢＯＸのＩＤとともに、オンデマンド広告コピー処理を終了したことをＳＴＢ６０に通知する（Ｓ１４６）。
【００７６】
図１１は、図１０の続きのシーケンス図である。
【００７７】
図１１に示すように、ＳＴＢ６０は、オンデマンド広告コピー処理を終了したことが拡張認証アプリ５１から通知されると、記憶部７０に記憶されている広告データフォルダー７１内のＳ１４６において拡張認証アプリ５１から通知されたＢＯＸのＩＤに対応付けられたＡ３カラー広告データを、ＭＦＰ２０の記憶部４０に記憶されているＢＯＸのうち、そのＩＤに対応付けられているＢＯＸに書き込む（Ｓ１６１）。
【００７８】
ＭＦＰ２０の制御部５０は、そのＢＯＸへのＡ３カラー広告データの書き込みが終了すると、そのＢＯＸへのＡ３カラー広告データの書き込みが終了したことを拡張認証アプリ５１に通知する（Ｓ１６２）。
【００７９】
ＳＴＢ６０は、Ｓ１６１の処理の後、記憶部７０に記憶されている広告データフォルダー７１内のそのＢＯＸのＩＤに対応付けられたＡ３モノクロ広告データを、ＭＦＰ２０の記憶部４０に記憶されているＢＯＸのうち、そのＩＤに対応付けられているＢＯＸに書き込む（Ｓ１６３）。
【００８０】
ＭＦＰ２０の制御部５０は、そのＢＯＸへのＡ３モノクロ広告データの書き込みが終了すると、そのＢＯＸへのＡ３モノクロ広告データの書き込みが終了したことを拡張認証アプリ５１に通知する（Ｓ１６４）。
【００８１】
ＳＴＢ６０は、Ｓ１６３の処理の後、記憶部７０に記憶されている広告データフォルダー７１内のそのＢＯＸのＩＤに対応付けられたＡ４カラー広告データを、ＭＦＰ２０の記憶部４０に記憶されているＢＯＸのうち、そのＩＤに対応付けられているＢＯＸに書き込む（Ｓ１６５）。
【００８２】
ＭＦＰ２０の制御部５０は、そのＢＯＸへのＡ４カラー広告データの書き込みが終了すると、そのＢＯＸへのＡ４カラー広告データの書き込みが終了したことを拡張認証アプリ５１に通知する（Ｓ１６６）。
【００８３】
ＳＴＢ６０は、Ｓ１６５の処理の後、記憶部７０に記憶されている広告データフォルダー７１内のそのＢＯＸのＩＤに対応付けられたＡ４モノクロ広告データを、ＭＦＰ２０の記憶部４０に記憶されているＢＯＸのうち、そのＩＤに対応付けられているＢＯＸに書き込む（Ｓ１６７）。
【００８４】
ＭＦＰ２０の制御部５０は、そのＢＯＸへのＡ４モノクロ広告データの書き込みが終了すると、そのＢＯＸへのＡ４モノクロ広告データの書き込みが終了したことを拡張認証アプリ５１に通知する（Ｓ１６８）。
【００８５】
拡張認証アプリ５１は、そのＢＯＸへのＡ３カラー広告データ、Ａ３モノクロ広告データ、Ａ４カラー広告データおよびＡ４モノクロ広告データの書き込みが終了したことが制御部５０から通知されると、記憶部４０に記憶されているＢＯＸ状態情報４６において、そのＢＯＸの状態を“使用可能”と設定する（Ｓ１６９）。
【００８６】
Ｓ１４１からＳ１６９までの処理は、後述のオンデマンド広告コピー処理が実行される度に繰り返される。
【００８７】
＜コピー＞
ＭＦＰ２０が起動されると、ＭＦＰ２０の制御部５０の拡張認証アプリ５１は、図１２に示すコピー選択画面を表示部２２に表示する。
【００８８】
図１２は、表示部２２に表示されるコピー選択画面を示す図である。
【００８９】
図１２に示すように、コピー選択画面は、広告を伴わない通常のコピーが指示されるためのボタンである通常コピーボタン２２ａと、広告を伴うコピー（以下「広告コピー」という。）が指示されるためのボタンである広告コピーボタン２２ｂとを含んでいる。
【００９０】
ＭＦＰ２０の制御部５０は、操作部２１を介して通常コピーボタン２２ａが押されると、Ａ３サイズのコピーの場合にはＡ３広告可媒体収納部３３から搬送したＡ３広告可媒体３３ａを使用してコピーを実行し、Ａ４サイズのコピーの場合にはＡ４広告可媒体収納部３４から搬送したＡ４広告可媒体３４ａを使用してコピーを実行することができる。このとき、制御部５０は、記録媒体の両面にコピーを実行する両面コピーを実行することもできるし、カラーコピーおよびモノクロコピーの何れも実行することができる。なお、通常コピーボタン２２ａが押された場合のＭＦＰ２０の動作については、本発明の特徴ではなく一般的な動作であるので、これ以上の詳細な説明を省略する。
【００９１】
ＭＦＰ２０の制御部５０は、操作部２１を介して広告コピーボタン２２ｂが押されると、図１３に示す動作を実行する。
【００９２】
図１３は、広告コピーを実行する場合の制御部５０の動作のフローチャートである。
【００９３】
図１３に示すように、制御部５０の拡張認証アプリ５１は、図１４に示す広告コピー認証画面を表示部２２に表示する（Ｓ１８１）。
【００９４】
図１４は、表示部２２に表示される広告コピー認証画面を示す図である。
【００９５】
図１４に示すように、広告コピー認証画面は、スキャナー２４に原稿をセットしてから認証を実行することを利用者に促すメッセージ２２ｃと、認証のための利用者ＩＤが操作部２１を介して入力されるためのテキストボックスである利用者ＩＤテキストボックス２２ｄと、認証のためのパスワードが操作部２１を介して入力されるためのテキストボックスであるパスワードテキストボックス２２ｅと、操作部２１を介して認証の実行が指示されるためのボタンである認証ボタン２２ｆとを含んでいる。
【００９６】
図１３に示すように、拡張認証アプリ５１は、Ｓ１８１の処理の後、認証ボタン２２ｆが押されたと判断するまで、認証ボタン２２ｆが押されたか否かを判断する（Ｓ１８２）。
【００９７】
拡張認証アプリ５１は、認証ボタン２２ｆが押されたとＳ１８２において判断すると、利用者ＩＤテキストボックス２２ｄに入力されている利用者ＩＤと、パスワードテキストボックス２２ｅに入力されているパスワードとに基づいて認証を実行する（Ｓ１８３）。ここで、拡張認証アプリ５１は、利用者ＩＤテキストボックス２２ｄに入力されている利用者ＩＤと、パスワードテキストボックス２２ｅに入力されているパスワードとの組み合わせが、予め記憶部４０に記憶されている認証情報４２の中に存在する場合に、認証が成功したと判断し、そうでない場合に、認証が失敗したと判断する。
【００９８】
拡張認証アプリ５１は、Ｓ１８３の処理の後、Ｓ１８３で実行した認証が成功したか否かを判断する（Ｓ１８４）。
【００９９】
拡張認証アプリ５１は、Ｓ１８３で実行した認証が失敗したとＳ１８４において判断すると、再びＳ１８１の処理に戻る。
【０１００】
一方、拡張認証アプリ５１は、Ｓ１８３で実行した認証が成功したとＳ１８４において判断すると、スキャナー２４が自動原稿送り装置２４ａを備えているか否かをスキャナー２４からの信号に基づいて判断する（Ｓ１８５）。
【０１０１】
拡張認証アプリ５１は、スキャナー２４が自動原稿送り装置２４ａを備えているとＳ１８５において判断すると、自動原稿送り装置２４ａに原稿がセットされているか否かをスキャナー２４からの信号に基づいて判断する（Ｓ１８６）。
【０１０２】
制御部５０は、自動原稿送り装置２４ａに原稿がセットされているとＳ１８６において判断されると、図１５に示すオフセット広告コピー処理を実行する（Ｓ１８７）。ここで、オフセット広告コピー処理とは、Ａ３広告済媒体収納部３１またはＡ４広告済媒体収納部３２から搬送した記録媒体を使用するコピーである本発明の広告済媒体コピーの処理である。
【０１０３】
図１５は、オフセット広告コピー処理のフローチャートである。
【０１０４】
図１５に示すように、制御部５０は、Ａ３広告済媒体収納部３１、Ａ４広告済媒体収納部３２、Ａ３広告可媒体収納部３３およびＡ４広告可媒体収納部３４のうちＡ３広告済媒体収納部３１およびＡ４広告済媒体収納部３２のみを使用可能にする（Ｓ２０１）。
【０１０５】
次いで、制御部５０は、図１６に示す広告コピー指示画面を表示部２２に表示する（Ｓ２０２）。
【０１０６】
図１６は、表示部２２に表示される広告コピー指示画面を示す図である。
【０１０７】
図１６に示すように、広告コピー指示画面は、コピーに使用する記録媒体のサイズ（図１６では「用紙サイズ」）と、カラー又はモノクロコピーを指示するための画面である。広告コピー指示画面は、コピーに使用される記録媒体としてＡ３サイズの記録媒体が操作部２１を介して指示されるためのラジオボタンであるＡ３ラジオボタン２２ｇと、コピーに使用される記録媒体としてＡ４サイズの記録媒体が操作部２１を介して指示されるためのラジオボタンであるＡ４ラジオボタン２２ｈと、カラーコピーが操作部２１を介して指示されるためのラジオボタンであるカラーラジオボタン２２ｉと、モノクロコピーが操作部２１を介して指示されるためのラジオボタンであるモノクロラジオボタン２２ｊと、操作部２１を介してコピーの開始が指示されるためのボタンであるコピー開始ボタン２２ｋとを含んでいる。Ａ３ラジオボタン２２ｇおよびＡ４ラジオボタン２２ｈは、常に何れか一方のみが選択された状態になるようになっている。同様に、カラーラジオボタン２２ｉおよびモノクロラジオボタン２２ｊは、常に何れか一方のみが選択された状態になるようになっている。
【０１０８】
図１５に示すように、制御部５０は、Ｓ２０２の処理の後、コピー開始ボタン２２ｋが押されたと判断するまで、コピー開始ボタン２２ｋが押されたか否かを判断する（Ｓ２０３）。
【０１０９】
制御部５０は、コピー開始ボタン２２ｋが押されたとＳ２０３において判断すると、Ａ３ラジオボタン２２ｇ、Ａ４ラジオボタン２２ｈ、カラーラジオボタン２２ｉおよびモノクロラジオボタン２２ｊによるコピーの設定を判断する（Ｓ２０４）。
【０１１０】
制御部５０は、Ａ３ラジオボタン２２ｇおよびカラーラジオボタン２２ｉが選択されているとＳ２０４において判断すると、スキャナー２４によって１枚の原稿から画像を読み取る（Ｓ２０５）。
【０１１１】
次いで、制御部５０は、プリンター２３によってＡ３広告済媒体収納部３１から搬送したＡ３広告済媒体３１ａの表面にカラーコピーを実行する（Ｓ２０６）。すなわち、制御部５０は、そのＡ３広告済媒体３１ａの表面にＳ２０５において読み取った画像をプリンター２３によってカラー印刷する。
【０１１２】
次いで、制御部５０は、全ての原稿のコピーが終了したか否かを判断する（Ｓ２０７）。
【０１１３】
制御部５０は、全ての原稿のコピーが終了していないとＳ２０７において判断すると、残りの原稿のコピーを実行するためにＳ２０５の処理に戻る。
【０１１４】
制御部５０は、Ａ３ラジオボタン２２ｇおよびモノクロラジオボタン２２ｊが選択されているとＳ２０４において判断すると、スキャナー２４によって１枚の原稿から画像を読み取る（Ｓ２０８）。
【０１１５】
次いで、制御部５０は、プリンター２３によってＡ３広告済媒体収納部３１から搬送したＡ３広告済媒体３１ａの表面にモノクロコピーを実行する（Ｓ２０９）。すなわち、制御部５０は、そのＡ３広告済媒体３１ａの表面にＳ２０８において読み取った画像をプリンター２３によってモノクロ印刷する。
【０１１６】
次いで、制御部５０は、全ての原稿のコピーが終了したか否かを判断する（Ｓ２１０）。
【０１１７】
制御部５０は、全ての原稿のコピーが終了していないとＳ２１０において判断すると、残りの原稿のコピーを実行するためにＳ２０８の処理に戻る。
【０１１８】
制御部５０は、Ａ４ラジオボタン２２ｈおよびカラーラジオボタン２２ｉが選択されているとＳ２０４において判断すると、スキャナー２４によって１枚の原稿から画像を読み取る（Ｓ２１１）。
【０１１９】
次いで、制御部５０は、プリンター２３によってＡ４広告済媒体収納部３２から搬送したＡ４広告済媒体３２ａの表面にカラーコピーを実行する（Ｓ２１２）。すなわち、制御部５０は、そのＡ４広告済媒体３２ａの表面にＳ２１１において読み取った画像をプリンター２３によってカラー印刷する。
【０１２０】
次いで、制御部５０は、全ての原稿のコピーが終了したか否かを判断する（Ｓ２１３）。
【０１２１】
制御部５０は、全ての原稿のコピーが終了していないとＳ２１３において判断すると、残りの原稿のコピーを実行するためにＳ２１１の処理に戻る。
【０１２２】
制御部５０は、Ａ４ラジオボタン２２ｈおよびモノクロラジオボタン２２ｊが選択されているとＳ２０４において判断すると、スキャナー２４によって１枚の原稿から画像を読み取る（Ｓ２１４）。
【０１２３】
次いで、制御部５０は、プリンター２３によってＡ４広告済媒体収納部３２から搬送したＡ４広告済媒体３２ａの表面にモノクロコピーを実行する（Ｓ２１５）。すなわち、制御部５０は、そのＡ４広告済媒体３２ａの表面にＳ２１４において読み取った画像をプリンター２３によってモノクロ印刷する。
【０１２４】
次いで、制御部５０は、全ての原稿のコピーが終了したか否かを判断する（Ｓ２１６）。
【０１２５】
制御部５０は、全ての原稿のコピーが終了していないとＳ２１６において判断すると、残りの原稿のコピーを実行するためにＳ２１４の処理に戻る。
【０１２６】
制御部５０は、全ての原稿のコピーが終了したとＳ２０７、Ｓ２１０、Ｓ２１３またはＳ２１６において判断すると、Ａ３広告済媒体収納部３１、Ａ４広告済媒体収納部３２、Ａ３広告可媒体収納部３３およびＡ４広告可媒体収納部３４の全てを使用可能にして（Ｓ２１７）、図１５に示すオフセット広告コピー処理を終了する。
【０１２７】
図１３に示すように、制御部５０は、Ｓ１８７のオフセット広告コピー処理を終了すると、再びＳ１８１の処理に戻る。
【０１２８】
制御部５０は、スキャナー２４が自動原稿送り装置２４ａを備えていないとＳ１８５において判断されるか、自動原稿送り装置２４ａに原稿がセットされていないとＳ１８６において判断されると、図１７および図１８に示すオンデマンド広告コピー処理を実行する（Ｓ１８８）。ここで、オンデマンド広告コピー処理とは、Ａ３広告可媒体収納部３３またはＡ４広告可媒体収納部３４から搬送した記録媒体を使用するコピーである本発明の広告可媒体コピーの処理である。
【０１２９】
図１７は、オンデマンド広告コピー処理のフローチャートである。図１８は、図１７の続きのフローチャートである。
【０１３０】
図１７および図１８に示すように、制御部５０は、Ａ３広告済媒体収納部３１、Ａ４広告済媒体収納部３２、Ａ３広告可媒体収納部３３およびＡ４広告可媒体収納部３４のうちＡ３広告可媒体収納部３３およびＡ４広告可媒体収納部３４のみを使用可能にする（Ｓ２２１）。
【０１３１】
次いで、制御部５０は、図１６に示す広告コピー指示画面を表示部２２に表示する（Ｓ２２２）。
【０１３２】
次いで、制御部５０は、コピー開始ボタン２２ｋが押されたと判断するまで、コピー開始ボタン２２ｋが押されたか否かを判断する（Ｓ２２３）。
【０１３３】
制御部５０は、コピー開始ボタン２２ｋが押されたとＳ２２３において判断すると、記憶部４０に記憶されている利用可能ＢＯＸ情報４５に基づいて利用可能なＢＯＸを特定する（Ｓ２２４）。
【０１３４】
次いで、制御部５０は、Ｓ２２４において特定した利用可能なＢＯＸの状態が“使用可能”であるか否かを、記憶部４０に記憶されているＢＯＸ状態情報４６に基づいて判断する（Ｓ２２５）。
【０１３５】
制御部５０は、利用可能なＢＯＸの状態が“使用可能”ではないとＳ２２５において判断すると、不具合のために広告コピーを失敗したことを表示部２２に表示する（Ｓ２２６）。
【０１３６】
次いで、制御部５０は、Ａ３広告済媒体収納部３１、Ａ４広告済媒体収納部３２、Ａ３広告可媒体収納部３３およびＡ４広告可媒体収納部３４の全てを使用可能にして（Ｓ２２７）、図１７および図１８に示すオンデマンド広告コピー処理を終了する。
【０１３７】
制御部５０は、利用可能なＢＯＸの状態が“使用可能”であるとＳ２２５において判断すると、Ａ３ラジオボタン２２ｇ、Ａ４ラジオボタン２２ｈ、カラーラジオボタン２２ｉおよびモノクロラジオボタン２２ｊによるコピーの設定を判断する（Ｓ２４１）。
【０１３８】
制御部５０は、Ａ３ラジオボタン２２ｇおよびカラーラジオボタン２２ｉが選択されているとＳ２４１において判断すると、スキャナー２４によって原稿から画像を読み取る（Ｓ２４２）。
【０１３９】
次いで、制御部５０は、プリンター２３によってＡ３広告可媒体収納部３３から搬送したＡ３広告可媒体３３ａの裏面に、Ｓ２２４において特定した利用可能なＢＯＸのＡ３カラー広告データに基づいてプリンター２３によって広告をカラー印刷する（Ｓ２４３）。
【０１４０】
次いで、制御部５０は、そのＡ３広告可媒体３３ａの表面にカラーコピーを実行する（Ｓ２４４）。すなわち、制御部５０は、そのＡ３広告可媒体３３ａの表面にＳ２４２において読み取った画像をプリンター２３によってカラー印刷する。
【０１４１】
制御部５０は、Ａ３ラジオボタン２２ｇおよびモノクロラジオボタン２２ｊが選択されているとＳ２４１において判断すると、スキャナー２４によって原稿から画像を読み取る（Ｓ２４５）。
【０１４２】
次いで、制御部５０は、プリンター２３によってＡ３広告可媒体収納部３３から搬送したＡ３広告可媒体３３ａの裏面に、Ｓ２２４において特定した利用可能なＢＯＸのＡ３モノクロ広告データに基づいてプリンター２３によって広告をモノクロ印刷する（Ｓ２４６）。
【０１４３】
次いで、制御部５０は、そのＡ３広告可媒体３３ａの表面にモノクロコピーを実行する（Ｓ２４７）。すなわち、制御部５０は、そのＡ３広告可媒体３３ａの表面にＳ２４５において読み取った画像をプリンター２３によってモノクロ印刷する。
【０１４４】
制御部５０は、Ａ４ラジオボタン２２ｈおよびカラーラジオボタン２２ｉが選択されているとＳ２４１において判断すると、スキャナー２４によって原稿から画像を読み取る（Ｓ２４８）。
【０１４５】
次いで、制御部５０は、プリンター２３によってＡ４広告可媒体収納部３４から搬送したＡ４広告可媒体３４ａの裏面に、Ｓ２２４において特定した利用可能なＢＯＸのＡ４カラー広告データに基づいてプリンター２３によって広告をカラー印刷する（Ｓ２４９）。
【０１４６】
次いで、制御部５０は、そのＡ４広告可媒体３４ａの表面にカラーコピーを実行する（Ｓ２５０）。すなわち、制御部５０は、そのＡ４広告可媒体３４ａの表面にＳ２４８において読み取った画像をプリンター２３によってカラー印刷する。
【０１４７】
制御部５０は、Ａ４ラジオボタン２２ｈおよびモノクロラジオボタン２２ｊが選択されているとＳ２４１において判断すると、スキャナー２４によって原稿から画像を読み取る（Ｓ２５１）。
【０１４８】
次いで、制御部５０は、プリンター２３によってＡ４広告可媒体収納部３４から搬送したＡ４広告可媒体３４ａの裏面に、Ｓ２２４において特定した利用可能なＢＯＸのＡ４モノクロ広告データに基づいてプリンター２３によって広告をモノクロ印刷する（Ｓ２５２）。
【０１４９】
次いで、制御部５０は、そのＡ４広告可媒体３４ａの表面にモノクロコピーを実行する（Ｓ２５３）。すなわち、制御部５０は、そのＡ４広告可媒体３４ａの表面にＳ２５１において読み取った画像をプリンター２３によってモノクロ印刷する。
【０１５０】
制御部５０は、Ｓ２４４、Ｓ２４７、Ｓ２５０またはＳ２５３の処理を終了すると、Ａ３広告済媒体収納部３１、Ａ４広告済媒体収納部３２、Ａ３広告可媒体収納部３３およびＡ４広告可媒体収納部３４の全てを使用可能にして（Ｓ２２７）、図１７および図１８に示すオンデマンド広告コピー処理を終了する。
【０１５１】
図１３に示すように、制御部５０は、Ｓ１８８のオンデマンド広告コピー処理を終了すると、再びＳ１８１の処理に戻る。
【０１５２】
以上に説明したように、ＭＦＰ２０は、互いに異なる広告が印刷された複数種類のＡ３広告済媒体３１ａがランダムにＡ３広告済媒体収納部３１に収納されておかれることによって、広告を伴うコピーが指示された場合、指示されたコピーが複数の記録媒体に印刷するための所定の条件、すなわち、「スキャナー２４が自動原稿送り装置２４ａを備えていて、自動原稿送り装置２４ａに原稿がセットされている」という条件（Ｓ１８５でＹＥＳおよびＳ１８６でＹＥＳ）を満たすときに、複数種類のＡ３広告済媒体３１ａを使用するコピーを実行する（Ｓ１８７）ので、広告の効果を従来より向上することができる。
【０１５３】
同様に、ＭＦＰ２０は、互いに異なる広告が印刷された複数種類のＡ４広告済媒体３２ａがランダムにＡ４広告済媒体収納部３２に収納されておかれることによって、広告を伴うコピーが指示された場合、指示されたコピーが複数の記録媒体に印刷するための所定の条件、すなわち、「スキャナー２４が自動原稿送り装置２４ａを備えていて、自動原稿送り装置２４ａに原稿がセットされている」という条件（Ｓ１８５でＹＥＳおよびＳ１８６でＹＥＳ）を満たすときに、複数種類のＡ４広告済媒体３２ａを使用するコピーを実行する（Ｓ１８７）ので、広告の効果を従来より向上することができる。
【０１５４】
また、ＭＦＰ２０は、オフセット広告コピー処理およびオンデマンド広告コピー処理のうちオフセット広告コピー処理を実行するための条件として、「スキャナー２４が自動原稿送り装置２４ａを備えていて、自動原稿送り装置２４ａに原稿がセットされている」という条件を採用しているので、自動原稿送り装置２４ａに原稿がセットされるだけで、複数種類の広告済媒体を使用するコピーを実行することができる。
【０１５５】
なお、ＭＦＰ２０は、複数の記録媒体に印刷するための条件であれば、「スキャナー２４が自動原稿送り装置２４ａを備えていて、自動原稿送り装置２４ａに原稿がセットされている」という条件に代えて、または、「スキャナー２４が自動原稿送り装置２４ａを備えていて、自動原稿送り装置２４ａに原稿がセットされている」という条件に加えて、オフセット広告コピー処理およびオンデマンド広告コピー処理のうちオフセット広告コピー処理を実行するための条件として採用することができる。
【０１５６】
ＭＦＰ２０は、コインベンダーが設置されるなどして、コピーに対して利用者に課金するようになっていても良い。ＭＦＰ２０は、利用者に対して課金するようになっている場合、広告コピーに対する課金を、通常コピーに対する課金より安価にするか、無料にするようになっていても良い。ＭＦＰ２０は、利用者に対して課金するようになっている場合、オフセット広告コピー処理に対する課金と、オンデマンド広告コピー処理に対する課金とを異ならせても良い。ＭＦＰ２０は、利用者に対して課金するようになっている場合、オンデマンド広告コピー処理において記録媒体のうち広告を印刷する裏面に対しては課金の対象外とする。
【０１５７】
ＭＦＰ２０は、広告を伴うコピー、すなわち、オフセット広告コピー処理およびオンデマンド広告コピー処理が実行された記録媒体において、コピーが実行された面とは異なる面に広告が印刷されているので、広告を大きく表示して広告の効果を向上することができる。
【０１５８】
なお、ＭＦＰ２０は、オンデマンド広告コピー処理において、上述の特許文献１に記載されている技術と同様に、記録媒体のうちコピーが実行される面と同じ面に広告が印刷されるようになっていても良い。また、ＭＦＰ２０は、オフセット広告コピー処理において、記録媒体のうち広告が印刷されている面と同じ面にコピーが実行されるようになっていても良い。
【０１５９】
ＭＦＰ２０は、本実施の形態において、広告コピーが実行された記録媒体の裏面に広告が印刷されているので、広告コピー時の両面印刷が禁止されている。しかしながら、ＭＦＰ２０は、広告の効果を著しく低下させない限り、広告コピー時の両面印刷を許可するようになっていても良い。
【０１６０】
ＭＦＰ２０は、拡大縮小、濃度調整などの画像の処理を広告コピー時にも許可するようになっていても良い。ＭＦＰ２０は、これらの画像の処理をオンデマンド広告コピー処理に適用する場合、オンデマンド広告コピー処理おいて印刷される広告にはこれらの画像の処理が影響しないようにすることが好ましい。
【０１６１】
ＭＦＰ２０は、本実施の形態において、オンデマンド広告コピー処理によって印刷される広告の種類を、オンデマンド広告コピー処理を実行する度にＢＯＸのＩＤの順で変更するようになっている。しかしながら、ＭＦＰ２０は、オンデマンド広告コピー処理によって印刷される広告の種類の変更を、本実施の形態において示した方法以外の方法によって実行するようになっていても良い。例えば、ＭＦＰ２０は、オンデマンド広告コピー処理によって印刷される広告の種類を、Ｓ１８３において認証された利用者の年齢、性別などの属性に応じて変更するようになっていても良い。
【０１６２】
ＭＦＰ２０は、起動時にＳＴＢ６０から記憶部４０のＢＯＸに広告データが書き込まれるようになっている（Ｓ１２４、Ｓ１２６、Ｓ１２８およびＳ１３０）ので、ＢＯＸ上の広告データの更新中に電源が切断された場合など、ＢＯＸ上の広告データに不具合が生じた場合であっても、再起動時に正常な状態に回復することができる。なお、ＭＦＰ２０は、ＢＯＸ状態情報４６を管理しているので、起動時にＢＯＸ状態情報４６において“書き込み中”となっているＢＯＸのみにＳＴＢ６０から広告データが書き込まれるようになっていても良い。
【０１６３】
ＳＴＢ６０は、ＭＦＰ２０の起動時（Ｓ１２４、Ｓ１２６、Ｓ１２８およびＳ１３０）と、オンデマンド広告コピー処理の終了時（Ｓ１６１、Ｓ１６３、Ｓ１６５およびＳ１６７）とに、ＭＦＰ２０の記憶部４０のＢＯＸ上の広告データを更新するようになっているが、これらの時以外の時にＭＦＰ２０の記憶部４０のＢＯＸ上の広告データを更新するようになっていても良い。例えば、ＳＴＢ６０は、定刻や、サーバー９０からＳＴＢに広告が配信されたときに、ＭＦＰ２０の記憶部４０のＢＯＸ上の広告データを更新するようになっていても良い。
【０１６４】
本発明の広告コピー用画像形成装置は、本実施の形態においてＭＦＰであるが、広告を伴うコピーを実行することができる装置であれば、コピー専用機など、ＭＦＰ以外の画像形成装置であっても良い。
【０１６５】
（第２の実施の形態）
本発明の第２の実施の形態に係るネットワークシステムの構成は、第１の実施の形態に係るネットワークシステム１０の構成と同様であるので、ネットワークシステム１０の構成と同一の符号を付して、詳細な説明を省略する。
【０１６６】
本実施の形態に係るネットワークシステムの動作は、以下に述べる動作を除いて、ネットワークシステム１０の動作と同様である。
【０１６７】
図１９は、広告コピーを実行する場合の本実施の形態に係るネットワークシステムのＭＦＰ２０の制御部５０の動作のフローチャートである。
【０１６８】
図１９に示す動作は、以下に述べる動作を除いて、図１３に示す動作と同様である。
【０１６９】
図１９に示すように、本実施の形態に係るネットワークシステムのＭＦＰ２０の制御部５０の拡張認証アプリ５１は、Ｓ１８３で実行した認証が成功したとＳ１８４において判断すると、図２０に示す連続読み取りモード設定画面を表示部２２に表示する（Ｓ２６１）。
【０１７０】
図２０は、表示部２２に表示される連続読み取りモード設定画面を示す図である。
【０１７１】
図２０に示すように、連続読み取りモード設定画面は、原稿を複数回手動でスキャナー２４に読み取らせるモードである連続読み取りモードに設定しないことが操作部２１を介して指示されるためのラジオボタンである連続読み取りモード非設定ラジオボタン２２ｌと、連続読み取りモードに設定することが操作部２１を介して指示されるためのラジオボタンである連続読み取りモード設定ラジオボタン２２ｍと、操作部２１を介してモードの決定が指示されるためのボタンである決定ボタン２２ｎとを含んでいる。連続読み取りモード非設定ラジオボタン２２ｌおよび連続読み取りモード設定ラジオボタン２２ｍは、常に何れか一方のみが選択された状態になるようになっている。
【０１７２】
図１９に示すように、拡張認証アプリ５１は、Ｓ２６１の処理の後、決定ボタン２２ｎが押されたと判断するまで、決定ボタン２２ｎが押されたか否かを判断する（Ｓ２６２）。
【０１７３】
拡張認証アプリ５１は、決定ボタン２２ｎが押されたとＳ２６２において判断すると、現在のモードが連続読み取りモードであるか否かを判断する（Ｓ２６３）。ここで、拡張認証アプリ５１は、連続読み取りモード非設定ラジオボタン２２ｌが選択されている場合に、現在のモードが連続読み取りモードではないと判断し、連続読み取りモード設定ラジオボタン２２ｍが選択されている場合に、現在のモードが連続読み取りモードであると判断する。
【０１７４】
拡張認証アプリ５１は、現在のモードが連続読み取りモードではないとＳ２６３において判断すると、スキャナー２４が自動原稿送り装置２４ａを備えているか否かをスキャナー２４からの信号に基づいて判断する（Ｓ１８５）。
【０１７５】
一方、制御部５０は、現在のモードが連続読み取りモードであるとＳ２６３において判断されると、図１５に示すオフセット広告コピー処理を実行する（Ｓ１８７）。
【０１７６】
制御部５０は、現在のモードが連続読み取りモードである場合、図１５に示すオフセット広告コピー処理のＳ２０７、Ｓ２１０、Ｓ２１３またはＳ２１６において、図２１に示す連続読み取りモード画面を表示部２２に表示する。
【０１７７】
図２１は、表示部２２に表示される連続読み取りモード画面を示す図である。
【０１７８】
図２１に示すように、連続読み取りモード画面は、次の原稿がある場合に次の原稿をスキャナー２４にセットしてから読み取りを実行することを利用者に促すメッセージ２２ｏと、操作部２１を介して読み取りの実行が指示されるためのボタンである読み取りボタン２２ｐと、次の原稿がない場合に終了を実行することを利用者に促すメッセージ２２ｑと、操作部２１を介して終了が指示されるためのボタンである終了ボタン２２ｒとを含んでいる。
【０１７９】
制御部５０は、現在のモードが連続読み取りモードである場合、読み取りボタン２２ｐが押されたとき、全ての原稿のコピーが終了していないとＳ２０７、Ｓ２１０、Ｓ２１３またはＳ２１６において判断する。また、制御部５０は、現在のモードが連続読み取りモードである場合、終了ボタン２２ｒが押されたとき、全ての原稿のコピーが終了したとＳ２０７、Ｓ２１０、Ｓ２１３またはＳ２１６において判断する。
【０１８０】
以上に説明したように、本実施の形態に係るＭＦＰ２０は、互いに異なる広告が印刷された複数種類のＡ３広告済媒体３１ａがランダムにＡ３広告済媒体収納部３１に収納されておかれることによって、広告を伴うコピーが指示された場合、指示されたコピーが複数の記録媒体に印刷するための所定の条件、すなわち、「現在のモードが連続読み取りモードである」という条件（Ｓ２６３でＹＥＳ）または「スキャナー２４が自動原稿送り装置２４ａを備えていて、自動原稿送り装置２４ａに原稿がセットされている」という条件（Ｓ１８５でＹＥＳおよびＳ１８６でＹＥＳ）を満たすときに、複数種類のＡ３広告済媒体３１ａを使用するコピーを実行する（Ｓ１８７）ので、広告の効果を従来より向上することができる。
【０１８１】
同様に、本実施の形態に係るＭＦＰ２０は、互いに異なる広告が印刷された複数種類のＡ４広告済媒体３２ａがランダムにＡ４広告済媒体収納部３２に収納されておかれることによって、広告を伴うコピーが指示された場合、指示されたコピーが複数の記録媒体に印刷するための所定の条件、すなわち、「現在のモードが連続読み取りモードである」という条件（Ｓ２６３でＹＥＳ）または「スキャナー２４が自動原稿送り装置２４ａを備えていて、自動原稿送り装置２４ａに原稿がセットされている」という条件（Ｓ１８５でＹＥＳおよびＳ１８６でＹＥＳ）を満たすときに、複数種類のＡ４広告済媒体３２ａを使用するコピーを実行する（Ｓ１８７）ので、広告の効果を従来より向上することができる。
【０１８２】
また、本実施の形態に係るＭＦＰ２０は、オフセット広告コピー処理およびオンデマンド広告コピー処理のうちオフセット広告コピー処理を実行するための条件として、「現在のモードが連続読み取りモードである」という条件を採用しているので、現在のモードが連続読み取りモードに設定されているだけで、複数種類の広告済媒体を使用するコピーを実行することができる。
【０１８３】
なお、本実施の形態に係るＭＦＰ２０は、複数の記録媒体に印刷するための条件であれば、「現在のモードが連続読み取りモードである」という条件、および、「スキャナー２４が自動原稿送り装置２４ａを備えていて、自動原稿送り装置２４ａに原稿がセットされている」という条件に加えて、オフセット広告コピー処理およびオンデマンド広告コピー処理のうちオフセット広告コピー処理を実行するための条件として採用することができる。また、本実施の形態に係るＭＦＰ２０は、「スキャナー２４が自動原稿送り装置２４ａを備えていて、自動原稿送り装置２４ａに原稿がセットされている」という条件を、オフセット広告コピー処理およびオンデマンド広告コピー処理のうちオフセット広告コピー処理を実行するための条件として採用しないようになっていても良い。
【０１８４】
また、本実施の形態に係るＭＦＰ２０は、ＢＯＸを３つ以上有していても良い。この場合も、ＢＯＸごとに異なるＩＤを対応付けることができる。
【０１８５】
また、本実施の形態に係るＭＦＰ２０は、広告コピー処理を実行する際、ＲＦＩＤ（Radio Frequency Identification）を用いた認証や、生態認証等、公知の認証方法を用いることができる。
【符号の説明】
【０１８６】
２０  ＭＦＰ（広告コピー用画像形成装置）
２３  プリンター（印刷デバイス）
２４  スキャナー（読取デバイス）
２４ａ  自動原稿送り装置
３１  Ａ３広告済媒体収納部（広告済媒体収納部）
３１ａ  Ａ３広告済媒体（記録媒体、広告済媒体）
３２  Ａ４広告済媒体収納部（広告済媒体収納部）
３２ａ  Ａ４広告済媒体（記録媒体、広告済媒体）
３３  Ａ３広告可媒体収納部（広告可媒体収納部）
３３ａ  Ａ３広告可媒体（記録媒体、広告可媒体）
３４  Ａ４広告可媒体収納部（広告可媒体収納部）
３４ａ  Ａ４広告可媒体（記録媒体、広告可媒体）
４０  記憶部（広告記憶部）
５０  制御部（コピー制御部）
【図１】
2013109032.tif 000003
【図２】
2013109032.tif 000004
【図３】
2013109032.tif 000005
【図４】
2013109032.tif 000006
【図５】
2013109032.tif 000007
【図６】
2013109032.tif 000008
【図７】
2013109032.tif 000009
【図８】
2013109032.tif 000010
【図９】
2013109032.tif 000011
【図１０】
2013109032.tif 000012
【図１１】
2013109032.tif 000013
【図１２】
2013109032.tif 000014
【図１３】
2013109032.tif 000015
【図１４】
2013109032.tif 000016
【図１５】
2013109032.tif 000017
【図１６】
2013109032.tif 000018
【図１７】
2013109032.tif 000019
【図１８】
2013109032.tif 000020
【図１９】
2013109032.tif 000021
【図２０】
2013109032.tif 000022
【図２１】
2013109032.tif 000023